【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
所与の直径を有する動脈における狭窄を開口するための高速回転式アテレクトミーデバイスであって、
該動脈の直径よりも小さい最大直径を有するガイドワイヤと、
該ガイドワイヤ上で前進可能である可撓性の細長い回転式駆動シャフトと、
該駆動シャフト上に配置されている研磨要素と、
該駆動シャフトに取り付けられている近位カウンタウェイトであって、調整可能な近位間隔によって該研磨要素から近位に離間されている近位カウンタウェイトと、
該駆動シャフトに取り付けられている遠位カウンタウェイトであって、調整可能な遠位間隔によって該研磨要素から遠位に離間されている遠位カウンタウェイトと
を備えている、高速回転式アテレクトミーデバイス。
【請求項２】
前記近位カウンタウェイトは、前記駆動シャフトに取り外し可能にクランプ可能であり、
該近位カウンタウェイトは、該駆動シャフトの高速回転のために該駆動シャフトにクランプされ、
該近位カウンタウェイトは、前記近位間隔の調整のためにクランプを外され、該調整は、該駆動シャフトの低速回転または非回転ときに発生する、
請求項１に記載の高速回転式アテレクトミーデバイス。
【請求項３】
前記近位カウンタウェイトは、該近位カウンタウェイトがクランプを外されると、前記駆動シャフトに沿って摺動可能である、請求項２に記載の高速回転式アテレクトミーデバイス。
【請求項４】
前記遠位カウンタウェイトは、前記駆動シャフトに取り外し可能にクランプ可能であり、
該遠位カウンタウェイトは、該駆動シャフトの高速回転のために該駆動シャフトにクランプされ、
該遠位カウンタウェイトは、前記遠位間隔の調整のためにクランプを外され、前記調整は、前記駆動シャフトの低速回転または非回転ときに発生する、
請求項１に記載の高速回転式アテレクトミーデバイス。
【請求項５】
前記遠位カウンタウェイトは、該遠位カウンタウェイトがクランプを外されると、前記駆動シャフトに沿って摺動可能である、請求項４に記載の高速回転式アテレクトミーデバイス。
【請求項６】
動脈の内部における閉塞を研磨するためのシステムであって、
該動脈の直径よりも小さい直径を伴うガイドワイヤを提供する手段と、
該ガイドワイヤ上で前進可能である、可撓性の細長い回転式駆動シャフトを提供する手段であって、該駆動シャフトは、回転軸と、偏心研磨要素とを有する、手段と、
該偏心研磨要素から近位に距離を置いて離間されている近位カウンタウェイトを提供する手段と、
該偏心研磨要素から遠位に距離を置いて離間されている遠位カウンタウェイトを提供する手段と、
該ガイドワイヤを後退させる手段と、
高速で該駆動シャフトを回転させる手段と
を含む、システム。
【請求項７】
前記ガイドワイヤを前記遠位カウンタウェイトまで後退させる手段をさらに含む、請求項６に記載のシステム。
【請求項８】
前記ガイドワイヤを前記偏心研磨要素まで後退させる手段をさらに含む、請求項６に記載のシステム。
【請求項９】
前記ガイドワイヤを前記近位カウンタウェイトまで後退させる手段をさらに含む、請求項６に記載のシステム。
【請求項１０】
前記ガイドワイヤを前記近位カウンタウェイトを越えて後退させる手段をさらに含む、請求項６に記載のシステム。
【請求項１１】
前記研磨要素は、前記駆動シャフトの偏心拡大部を備えている、請求項６に記載のシステム。
【請求項１２】
前記研磨要素は、前記駆動シャフトに取り付けられる偏心研磨クラウンを備えている、請求項６に記載のシステム。
【請求項１３】
前記近位カウンタウェイトおよび前記遠位カウンタウェイトのうちの少なくとも１つは、前記駆動シャフトの偏心拡大部を備えている、請求項６に記載のシステム。
【請求項１４】
前記近位カウンタウェイトおよび前記遠位カウンタウェイトのうちの少なくとも１つは、前記駆動シャフトに取り付けられる偏心要素を備えている、請求項６に記載のシステム。
【請求項１５】
前記近位カウンタウェイトおよび前記遠位カウンタウェイトのうちの少なくとも１つは、前記駆動シャフトの同心拡大部を備えている、請求項６に記載のシステム。
【請求項１６】
前記近位カウンタウェイトおよび前記遠位カウンタウェイトのうちの少なくとも１つは、前記駆動シャフトに取り付けられる同心要素を備えている、請求項６に記載のシステム。
【請求項１７】
前記遠位カウンタウェイトおよび前記近位カウンタウェイトは、両方とも同心性である、請求項６に記載のシステム。
【請求項１８】
前記ガイドワイヤは、高速で前記駆動シャフトを回転させる前に後退させられる、請求項６に記載のシステム。
【請求項１９】
前記ガイドワイヤは、前記駆動シャフトが高速で回転させられている間に後退させられる、請求項６に記載のシステム。
【請求項２０】
動脈の内部における閉塞を研磨するためのシステムであって、
該動脈の直径よりも小さい直径を伴うガイドワイヤを提供する手段と、
該ガイドワイヤ上で前進可能である、可撓性の細長い回転式駆動シャフトを提供する手段であって、該駆動シャフトは、回転軸と、偏心研磨要素とを有し、該研磨要素は、該駆動シャフトの偏心拡大部を備えている、手段と、
該偏心研磨要素から近位に距離を置いて離間されている近位カウンタウェイトであって、該駆動シャフトの偏心拡大部を備えている近位カウンタウェイトを提供する手段と、
該偏心研磨要素から遠位に距離を置いて離間されている遠位カウンタウェイトであって、該駆動シャフトの偏心拡大部を備えている遠位カウンタウェイトを提供する手段と、
該ガイドワイヤを後退させる手段と、
高速で該駆動シャフトを回転させる手段と
を含む、システム。
【手続補正２】
【補正対象書類名】明細書
【補正対象項目名】００１１
【補正方法】変更
【補正の内容】
【００１１】
第３の実施形態は、可撓性駆動シャフトの研磨部で、管腔内に回転直径を生成するための方法であって、回転直径は、研磨部の静止直径よりも大きく、管腔の直径よりも小さい直径を伴うガイドワイヤを提供することと、ガイドワイヤ上で前進可能である、可撓性の細長い回転式駆動シャフトを提供することであって、駆動シャフトは、回転軸と、偏心研磨要素とを有し、研磨要素は、駆動シャフトの偏心拡大部を備えている、ことと、偏心研磨要素から近位に距離を置いて離間されている、近位カウンタウェイトであって、駆動シャフトの偏心拡大部を備えている、近位カウンタウェイトを提供することと、偏心研磨要素から遠位に距離を置いて離間されている、遠位カウンタウェイトであって、駆動シャフトの偏心拡大部を備えている、遠位カウンタウェイトを提供することと、ガイドワイヤを後退させることと、高速で駆動シャフトを回転させることとを含む、方法である。
例えば、本発明は以下の項目を提供する。
（項目１）
所与の直径を有する動脈における狭窄を開口するための高速回転式アテレクトミーデバイスであって、
該動脈の直径よりも小さい最大直径を有するガイドワイヤと、
該ガイドワイヤ上で前進可能である可撓性の細長い回転式駆動シャフトと、
該駆動シャフト上に配置されている研磨要素と、
該駆動シャフトに取り付けられている近位カウンタウェイトであって、調整可能な近位間隔によって該研磨要素から近位に離間されている近位カウンタウェイトと、
該駆動シャフトに取り付けられている遠位カウンタウェイトであって、調整可能な遠位間隔によって該研磨要素から遠位に離間されている遠位カウンタウェイトと
を備えている、高速回転式アテレクトミーデバイス。
（項目２）
上記近位カウンタウェイトは、上記駆動シャフトに取り外し可能にクランプ可能であり、
該近位カウンタウェイトは、該駆動シャフトの高速回転のために該駆動シャフトにクランプされ、
該近位カウンタウェイトは、上記近位間隔の調整のためにクランプを外され、該調整は、該駆動シャフトの低速回転または非回転ときに発生する、
項目１に記載の高速回転式アテレクトミーデバイス。
（項目３）
上記近位カウンタウェイトは、該近位カウンタウェイトがクランプを外されると、上記駆動シャフトに沿って摺動可能である、項目２に記載の高速回転式アテレクトミーデバイス。
（項目４）
上記遠位カウンタウェイトは、上記駆動シャフトに取り外し可能にクランプ可能であり、
該遠位カウンタウェイトは、該駆動シャフトの高速回転のために該駆動シャフトにクランプされ、
該遠位カウンタウェイトは、上記遠位間隔の調整のためにクランプを外され、上記調整は、上記駆動シャフトの低速回転または非回転ときに発生する、
項目１に記載の高速回転式アテレクトミーデバイス。
（項目５）
上記遠位カウンタウェイトは、該遠位カウンタウェイトがクランプを外されると、上記駆動シャフトに沿って摺動可能である、項目４に記載の高速回転式アテレクトミーデバイス。
（項目６）
動脈の内部における閉塞を研磨するための方法であって、
該動脈の直径よりも小さい直径を伴うガイドワイヤを提供することと、
該ガイドワイヤ上で前進可能である、可撓性の細長い回転式駆動シャフトを提供することであって、該駆動シャフトは、回転軸と、偏心研磨要素とを有する、ことと、
該偏心研磨要素から近位に距離を置いて離間されている近位カウンタウェイトを提供することと、
該偏心研磨要素から遠位に距離を置いて離間されている遠位カウンタウェイトを提供することと、
該ガイドワイヤを後退させることと、
高速で該駆動シャフトを回転させることと
を含む、方法。
（項目７）
上記ガイドワイヤを上記遠位カウンタウェイトまで後退させることをさらに含む、項目６に記載の方法。
（項目８）
上記ガイドワイヤを上記偏心研磨要素まで後退させることをさらに含む、項目６に記載の方法。
（項目９）
上記ガイドワイヤを上記近位カウンタウェイトまで後退させることをさらに含む、項目６に記載の方法。
（項目１０）
上記ガイドワイヤを上記近位カウンタウェイトを越えて後退させることをさらに含む、項目６に記載の方法。
（項目１１）
上記研磨要素は、上記駆動シャフトの偏心拡大部を備えている、項目６に記載の方法。
（項目１２）
上記研磨要素は、上記駆動シャフトに取り付けられる偏心研磨クラウンを備えている、項目６に記載の方法。
（項目１３）
上記近位カウンタウェイトおよび上記遠位カウンタウェイトのうちの少なくとも１つは、上記駆動シャフトの偏心拡大部を備えている、項目６に記載の方法。
（項目１４）
上記近位カウンタウェイトおよび上記遠位カウンタウェイトのうちの少なくとも１つは、上記駆動シャフトに取り付けられる偏心要素を備えている、項目６に記載の方法。
（項目１５）
上記近位カウンタウェイトおよび上記遠位カウンタウェイトのうちの少なくとも１つは、上記駆動シャフトの同心拡大部を備えている、項目６に記載の方法。
（項目１６）
上記近位カウンタウェイトおよび上記遠位カウンタウェイトのうちの少なくとも１つは、上記駆動シャフトに取り付けられる同心要素を備えている、項目６に記載の方法。
（項目１７）
上記遠位カウンタウェイトおよび上記近位カウンタウェイトは、両方とも同心性である、項目６に記載の方法。
（項目１８）
上記ガイドワイヤは、高速で上記駆動シャフトを回転させる前に後退させられる、項目６に記載の方法。
（項目１９）
上記ガイドワイヤは、上記駆動シャフトが高速で回転させられている間に後退させられる、項目６に記載の方法。
（項目２０）
動脈の内部における閉塞を研磨するための方法であって、
該動脈の直径よりも小さい直径を伴うガイドワイヤを提供することと、
該ガイドワイヤ上で前進可能である、可撓性の細長い回転式駆動シャフトを提供することであって、該駆動シャフトは、回転軸と、偏心研磨要素とを有し、該研磨要素は、該駆動シャフトの偏心拡大部を備えている、ことと、
該偏心研磨要素から近位に距離を置いて離間されている近位カウンタウェイトであって、該駆動シャフトの偏心拡大部を備えている近位カウンタウェイトを提供することと、
該偏心研磨要素から遠位に距離を置いて離間されている遠位カウンタウェイトであって、該駆動シャフトの偏心拡大部を備えている遠位カウンタウェイトを提供することと、
該ガイドワイヤを後退させることと、
高速で該駆動シャフトを回転させることと
を含む、方法。